(57)【要約】【課題】運転不能になることを防止するとともに、発電性能を維持できるようにする。【解決手段】本発明は、電解質膜の両側に積層した燃料極と空気極とに、二種類の発電用ガスを互いに分離して流接させることによる発電を行う固体酸化物型燃料電池１０を有し、その固体酸化物型燃料電池１０に接続される外部負荷１５に電力を送給する燃料電池システムであって、上記固体酸化物型燃料電池１０の劣化を予防するための予防判定基準情報に基づいて、その固体酸化物型燃料電池１０が劣化し始めるか否かを判定する劣化予防判定手段３１ａと、この劣化予防判定手段３１ａによって固体酸化物型燃料電池１０が劣化すると判定したときには、その固体酸化物型燃料電池１０の劣化を予防する劣化予防手段３１ｂとを設けている。【選択図】図２
2010146747.tif 000002
【特許請求の範囲】
【請求項１】
電解質の両側に積層した燃料極と空気極とに、二種類の発電用ガスを互いに分離して流接させることによる発電を行う固体酸化物型燃料電池を有し、その固体酸化物型燃料電池に接続される外部負荷に電力を送給する燃料電池システムであって、
上記固体酸化物型燃料電池の劣化を予防するための予防判定基準情報に基づいて、その固体酸化物型燃料電池が劣化し始めるか否かを判定する劣化予防判定手段と、
劣化予防判定手段によって固体酸化物型燃料電池が劣化すると判定したときには、その固体酸化物型燃料電池の劣化を予防する劣化予防手段とを設けたことを特徴とする燃料電池システム。
【請求項２】
予防判定基準情報を予め記憶したメモリが設けられており、
劣化予防判定手段は、メモリに記憶されている予防判定基準情報に基づいて、固体酸化物型燃料電池が劣化し始めるか否かを判定することを特徴とする請求項１に記載の燃料電池システム。
【請求項３】
予防判定基準情報は、固体酸化物型燃料電池の稼動時間であることを特徴とする請求項２に記載の燃料電池システム。
【請求項４】
固体酸化物型燃料電池の出力を測定する出力測定器が設けられており、
出力測定器によって取得した固体酸化物型燃料電池の出力を予防判定基準情報としていることを特徴とする請求項１に記載の燃料電池システム。
【請求項５】
固体酸化物型燃料電池の内部抵抗を測定する内部抵抗測定器が設けられており、
内部抵抗測定器で取得した固体酸化物型燃料電池の内部抵抗を予防判定基準情報としていることを特徴とする請求項１に記載の燃料電池システム。
【請求項６】
固体酸化物型燃料電池に対して外部負荷を断接する第一の断接器を設けているとともに、
劣化予防手段は、第一の断接器を介して固体酸化物型燃料電池から外部負荷を遮断開放することを特徴とする請求項１〜５のいずれか１項に記載の燃料電池システム。
【請求項７】
既に劣化した固体酸化物型燃料電池を回復させるための基準となる回復判定基準情報に基づいて、固体酸化物型燃料電池が既に劣化しているか否かを判定する劣化回復判定手段と、
劣化回復判定手段によって固体酸化物型燃料電池が既に劣化していると判定したときには、その固体酸化物型燃料電池の劣化を回復する劣化回復手段とを有することを特徴とする請求項１〜６のいずれか１項に記載の燃料電池システム。
【請求項８】
回復判定基準情報がメモリに記憶されており、
劣化回復判定手段は、メモリに記憶されている回復判定基準情報に基づいて、固体酸化物型燃料電池が既に劣化しているか否かを判定することを特徴とする請求項７に記載の燃料電池システム。
【請求項９】
固体酸化物型燃料電池の燃料極を還元するための電源と、その固体酸化物型燃料電池と電源とを断接するための第二の断接器を設けているとともに、
劣化予防手段は、第一の断接器を介して固体酸化物型燃料電池から外部負荷を遮断開放し、かつ、第二の断接器を介して電源を固体酸化物型燃料電池に接続することを特徴とする請求項１〜８のいずれか１項に記載の燃料電池システム。
【請求項１０】
固体酸化物型燃料電池の燃料極を還元するための電源と、その固体酸化物型燃料電池と電源とを断接するための第二の断接器を設けているとともに、
劣化予防手段は、第一の断接器を介して固体酸化物型燃料電池に外部負荷を接続し、かつ、第二の断接器を介して電源を固体酸化物型燃料電池に接続することを特徴とする請求項１〜８のいずれか１項に記載の燃料電池システム。
【請求項１１】
固体酸化物型燃料電池の燃料極に、これを還元するための還元用ガスを送給する送給器が設けられており、
劣化予防手段は、第一の断接器を介して固体酸化物型燃料電池から外部負荷を遮断開放し、かつ、送給器を介して燃料極に還元用ガスを送給することを特徴とする請求項１〜６のいずれか１項に記載の燃料電池システム。
【請求項１２】
固体酸化物型燃料電池は、電解質の両側に燃料極と空気極とを積層したセルを有しているとともに、そのセルを加熱するためのセル加熱器と、このセル加熱器の加熱源とを設けており、
劣化予防手段により固体酸化物型燃料電池の劣化を予防しているときに、加熱源によってセル加熱器を加熱させるセル加熱手段を有していることを特徴とする請求項１〜１１のいずれか１項に記載の燃料電池システム。
【請求項１３】
固体酸化物型燃料電池の燃料極に送給する原燃料を改質するための燃料改質器が設けられているとともに、その燃料改質器を加熱するための改質器加熱器と、この改質器加熱器の加熱源とを設けており、
劣化予防手段により、固体酸化物型燃料電池の劣化を予防しているときに、加熱源によって改質器加熱器を加熱させる改質器加熱手段を有していることを特徴とする請求項１〜１２のいずれか１項に記載の燃料電池システム。
【請求項１４】
固体酸化物型燃料電池は、電解質の両側に燃料極と空気極とを積層したセルを積み重ねた複数のセルスタックを有しており、
劣化予防判定手段は、予防判定基準情報に基づいて、いずれかのセルスタックが劣化し始めるか否かを判定し、
劣化予防手段は、劣化予防判定手段によって判定したセルスタックの劣化の予防を行うことを特徴とする請求項１〜１３のいずれか１項に記載の燃料電池システム。
【請求項１５】
劣化回復判定手段は、回復判定基準情報に基づいて、いずれかのセルスタックが既に劣化しているか否かを判定し、
劣化回復手段は、劣化回復判定手段によって既に劣化していると判定したセルスタックの劣化の回復を行うことを特徴とする請求項１〜１４のいずれか１項に記載の燃料電池システム。
【請求項１６】
電解質の両側に積層した燃料極と空気極とに、二種類の発電用ガスを互いに分離して流接させることによる発電を行う固体酸化物型燃料電池を有し、この固体酸化物型燃料電池に接続される外部負荷に電力を送給する燃料電池システムを用いた発電方法であって、
上記固体酸化物型燃料電池の劣化を予防するための予防判定基準情報に基づいて、その固体酸化物型燃料電池が劣化し始めるか否かを判定し、固体酸化物型燃料電池が劣化すると判定したときには、その固体酸化物型燃料電池の劣化を予防することを特徴とする燃料電池システムを用いた発電方法。
【発明の詳細な説明】
【技術分野】
【０００１】
本発明は、固体酸化物形燃料電池（ＳＯＦＣ）を用いた燃料電池システムとこれを用いた発電方法に関する。
【背景技術】
【０００２】
固体酸化物形燃料電池（ＳＯＦＣ）の実用化のためには、長寿命・高効率化は重要な課題である。イットリア安定化ジルコニア電解質を使用したＳＯＦＣの一般的な作動温度は１０００℃であるが、この高い作動温度に起因して構成材料間の固相反応等が問題になっている。
【０００３】
近年、上記問題の解決策として、作動温度の低減（６００〜８００℃）を目指した電極支持型薄膜電解質セルが注目されており、高い出力特性が報告されてはいるが、支持体となる電極の微細構造と長期安定性の相関に関する報告例は少ない。
【非特許文献１】電気化学会第７５回大会講演要旨集  ２００８年３月  １Ｂ２２  ４７ページ
【発明の開示】
【発明が解決しようとする課題】
【０００４】
非特許文献１に詳述しているように、定電圧下で通電したときの電流密度は、通電時間の経過に伴い徐々に低下する。さらに発電を継続すると、電流密度の急激な低下を生じる。電流密度は発電前の状態に回復することはなく、その劣化現象は燃料極に起因すると考えられる。
【０００５】
次に、一定の電圧下での連続耐久実験として、通電と開回路状態での保持を繰り返した際の電流密度の変化を観察した結果、開回路状態で一定時間保持することにより電流密度が回復するという現象がある。
また、通電時の電流密度が再度低下するまでの時間は、開回路状態での保持時間と相関があり、そのような可逆的劣化現象は、通電で生成された水蒸気による燃料極内のＮｉの不活性化、及び燃料供給の阻害が原因であると考えられる。
【０００６】
上記の観察により、燃料極内に蓄積された水蒸気により電池性能が低下したと予想されたので、電池を電解作動させることによる性能回復を試みている。
すなわち、定電圧保持試験により劣化が生じたセルを開回路電圧より高い端子電圧で一定時間保持した後、所定の定電圧下において電流密度の経時変化を観察した結果、電池の電解作動により燃料極内に留まっていた水蒸気が除去されたことが要因になっていると思料される。
【０００７】
そこで本発明は、燃料極内のＮｉの不活性化、及び燃料供給の阻害による固体酸化物型燃料電池の稼動不能を防止して、発電性能を維持できる燃料電池システムとこれを用いた発電方法の提供を目的としている。
【課題を解決するための手段】
【０００８】
上記目的を達成するための本発明に係る燃料電池システムは、電解質の両側に積層した燃料極と空気極とに、二種類の発電用ガスを互いに分離して流接させることによる発電を行う固体酸化物型燃料電池と、この固体酸化物型燃料電池に接続される外部負荷に電力を送給するものであり、上記固体酸化物型燃料電池の劣化を予防するための予防判定基準情報に基づいて、その固体酸化物型燃料電池が劣化し始めるか否かを判定する劣化予防判定手段と、劣化予防判定手段によって固体酸化物型燃料電池が劣化すると判定したときには、その固体酸化物型燃料電池の劣化を予防する劣化予防手段とを設けている。
【０００９】
同上の目的を達成するための本発明に係る発電方法は、電解質の両側に積層した燃料極と空気極とに、二種類の発電用ガスを互いに分離して流接させることによる発電を行う固体酸化物型燃料電池を有し、この固体酸化物型燃料電池に接続される外部負荷に電力を送給する燃料電池システムを用いたものであり、上記固体酸化物型燃料電池の劣化を予防するための予防判定基準情報に基づいて、その固体酸化物型燃料電池が劣化し始めるか否かを判定し、固体酸化物型燃料電池が劣化すると判定したときには、その固体酸化物型燃料電池の劣化を予防することを内容としている。
【発明の効果】
【００１０】
本発明によれば、燃料極内のＮｉの不活性化、及び燃料供給の阻害による固体酸化物型燃料電池の稼動不能になることを防止するとともに、発電性能を維持できる。
【発明を実施するための最良の形態】
【００１１】
以下に、本発明を実施するための最良の形態について、図面を参照して説明する。図１は、本発明の第一の実施形態に係る燃料電池システムの構成を示すブロック図、図２は、その燃料電池システムの一部をなすコントロールユニットの機能を示すブロック図である。
【００１２】
本発明の第一の実施形態に係る燃料電池システムＡ１は、一例に係る固体酸化物型燃料電池（以下、単に「燃料電池」という。）１０に接続される例えばモータ等の外部負荷１５に電力を送給する構成のものである。
【００１３】
具体的には、上記した燃料電池１０と外部負荷１５の他に、第一の断接器２０、燃料を燃料電池１０の燃料極１０ａに送給するための送給ポンプ２１、その燃料電池１０の空気極１０ｂに空気を送給するためのコンプレッサ２２、電圧計２３、電流計２４、交流抵抗計２５及びコントロールユニット（以下、「Ｃ／Ｕ」と略記する。）３０等を有して構成されている。
【００１４】
燃料電池１０は、複数のセルユニット１２を互いに積層した単一のセルスタックをケース１３内に収容したものである。なお、図１には、説明を簡略化するために一つのセルユニット１２のみを示している。
【００１５】
セルユニット１２は、Ｎｉを有する燃料極１０ａと空気極１０ｂとを電解質１０ｃの両側に対設した固体電解質型セル１１…を備えたものであり、その燃料極１０ａと空気極１０ｂとに、二種類の発電用ガスを互いに分離して流接させることによる発電を行うものである。
二種類の発電用ガスは、例えば空気と炭化水素燃料ガスである。
【００１６】
第一の断接器２０は、燃料電池１０に対して外部負荷１５を断接する例えばリレーであり、外部負荷１５に接続する燃料電池１０の出力端子１４ａ，１４ｂの中間に配設されている。
この第一の断接器２０は、詳細を後述するＣ／Ｕ３０の出力ポートに接続されており、そのＣ／Ｕ３０から出力される断接信号によって断接動作するようになっている。
【００１７】
上記した出力端子１４ａ，１４ｂの一方には、燃料電池１０の出力電流を測定するための上記した電流計２４を、また、出力端子１４ａ，１４ｂ間には当該出力電圧を測定するための電圧計２３と交流抵抗計２５をそれぞれ配設している。
上記の電流計２３、電圧計２４及び交流抵抗計２５は、Ｃ／Ｕ３０の入力ポート側に接続されて、各取得した測定値が入力されるようになっている。
【００１８】
本実施形態においては、上記の電流計２３と電圧計２４とが、燃料電池１０の出力を測定する出力測定器である。
また、交流抵抗計２５が、燃料電池１０の内部交流抵抗を測定するための内部抵抗測定器である。
【００１９】
図２に示すように、Ｃ／Ｕ３０は、ＣＰＵ（Central Processing Unit）、インターフェース回路等（いずれも図示しない）からなる中央制御部３１と、ハードディスク，半導体メモリ等からなるメモリ３２とを有するものである。
【００２０】
メモリ３２には、中央制御部３１に所要の機能を発揮させるためのプログラムの他、燃料電池１０の劣化を予防するための予防判定基準情報、既に劣化した燃料電池１０を回復させるための回復判定基準情報、第一の断接器２０を開放しておく遮断開放時間等が記憶されている。
【００２１】
本実施形態における予防判定基準情報は、燃料電池１０の稼動時間（運転時間）であるが、上記した電流計２３や電圧計２４等の出力測定器によって取得した燃料電池１０の出力、又は交流抵抗計２５等の内部抵抗測定器で取得した燃料電池１０の内部抵抗であってもよい。
「稼動時間」は、例えば実験により劣化するまでの時間を予め計測して得たものである。
【００２２】
電圧計２４を用いる場合には、一定電圧下における電流密度の下限値等を予防判定基準情報として適用することができる。
なお、以下には、予防判定基準情報が燃料電池１０の稼動時間（運転時間）であるとして説明するが、当該稼動時間に、燃料電池１０の出力やその内部交流抵抗を組み合わせたものを予防判定基準情報としてもよい。
また、燃料電池１０の出力のみ又はその内部抵抗のみを予防判定基準情報とすることもできることは勿論である。
【００２３】
本実施形態において「劣化」とは、一定電圧下における出力電流密度が経時的に低下して、通常運転によっては回復し得ない状態をいう。これを「稼動不能状態」ということにする。
「通常運転」とは、燃料電池１０に外部負荷１５を接続した状態において稼動させることをいう。
「回復判定基準情報」は、例えば一定電圧下における電流密度の下限値等である。
【００２４】
メモリ３２に記憶されている本燃料電池システムＡ１に用いるプログラムの実行により、Ｃ／Ｕ３０、従ってまた、中央制御部３１は以下の各機能を発揮する。
（１）燃料電池１０の劣化を予防するための予防判定基準情報に基づいて、その燃料電池１０が劣化し始めるか否かを判定する機能。この機能を「劣化予防判定手段３１ａ」という。
本実施形態においては、上記したようにメモリ３２に記憶した燃料電池１０の稼動時間であり、この稼動時間が経過したか否かによって、燃料電池１０が、従ってまた、固体電解質型セル１１が劣化し始めるか否かを判定している。
【００２５】
なお、燃料電池１０の出力のみ又はその内部抵抗のみを予防判定基準情報とした場合には、電流計２３や電圧計２４等の出力測定器又は交流抵抗計２５等の内部抵抗測定器を介して、予防判定基準情報を取得する機能、すなわち「基準情報取得手段３１ｄ」を設ければよい。
【００２６】
（２）劣化予防判定手段３１ａによって燃料電池１０が劣化すると判定したときには、その燃料電池１０の劣化を予防する機能。この機能を「劣化予防手段３１ｂ」という。
本実施形態においては、上記第一の断接器２０によって、燃料電池１０から外部負荷１５を、所定の遮断開放時間だけ遮断開放させることによって行っている。
また、本実施形態においては、下記の開放時間判定手段３１ｃによって所定の遮断開放時間が経過したと判定したときには、第一の断接器２０によって、燃料電池１０に外部負荷１５を接続するようにしている。
【００２７】
（３）所定の遮断開放時間が経過したか否かを判定する機能。この機能を「開放時間判定手段３１ｃ」という。
（４）メモリ３２に記憶されている回復判定基準情報に基づいて、燃料電池１０が既に劣化しているか否かを判定する機能。この機能を「劣化回復判定手段３１ｄ」という。
既述したように、既に劣化しているか否かの判定基準情報は、一定の電圧下における電流密度の下限値、換言すると所定の閾値である。
【００２８】
（５）劣化回復判定手段３１ｄによって燃料電池１０が既に劣化していると判定したときには、その燃料電池１０の劣化を回復する機能。この機能を「劣化回復手段３１ｅ」という。
本実施形態においては、上記第一の断接器２０によって、燃料電池１０から外部負荷１５を所定の遮断開放時間だけ遮断開放することによって行っている。
【００２９】
この「遮断開放時間」は、既に劣化している燃料電池１０の劣化を回復させるためのものであり、上記劣化予防手段３１ｂによる遮断開放時間よりも長く設定している。
そして、上記の開放時間判定手段３１ｃによって所定の遮断開放時間が経過したと判定したときには、第一の断接器２０によって、燃料電池１０に外部負荷１５を接続するようにしている。
【００３０】
上記した構成からなる第一の実施形態に係る燃料電池システムＡ１の動作について、図３，４を参照して説明する。図３は、燃料電池システムＡ１における予防動作を示すフローチャート、図４は、燃料電池システムＡ１における回復動作を示すフローチャートである。
【００３１】
上述した燃料電池システムＡ１を用いた発電方法は、上記燃料電池１０の劣化を予防するための予防判定基準情報に基づいて、その燃料電池１０が劣化し始めるか否かを判定し、燃料電池１０が劣化すると判定したときには、その燃料電池１０の劣化を予防することを内容としたものであり、その詳細は次のとおりである。
【００３２】
まず、図３を参照して予防動作について説明する。
＜予防動作＞
ステップ１（図中、「Ｓ１」と略記する。以下同様。）：通常運転を行って、ステップ２に進む。
【００３３】
ステップ２：予防動作を実行するか否かの判定を行う。
例えば実験により予め劣化し始める時間を計測して、Ｃ／Ｕ３０のメモリ３２に記憶しておき、その劣化時間と実際の稼動時間と比較照合することにより、予防動作を実行するか否かの判定を行う。
また、例えば２巡目においては、ステップ４で行われた第一の断接器２０による遮断開放時間に基づいて、予防動作を実行するか否かの判定を行うようにしてもよい。
【００３４】
ステップ３：燃料電池１０の予防動作を実行する。具体的には、第一の断接器２０を開駆動することにより、上記燃料電池１０から外部負荷１５を遮断開放し、換言すると、燃料電池１０の出力端子１４ａ，１４ｂを開回路状態にして燃料極１０ａを還元する。これにより、燃料電池１０が稼動不能に陥ることを未然に防止できる。
【００３５】
ステップ４：予防動作を終了するか否かを判定する。例えばメモリ３２に所定の遮断開放時間を設定しておき、その遮断開放時間が経過したか否かを判定する。ここで、当該時間が経過していなければステップ３に戻り、当該時間が経過していればステップ５に進む。
上記の遮断開放時間が予防動作の実行時間である。
【００３６】
最適な遮断開放時間は、遮断開放時間を異ならせて予防した他の燃料電池１０を用いた通常運転を行って、遮断開放時間と、一定出力の運転効率が悪化するまでの時間との関係を調べることにより把握することができる。
ステップ５：ステップ１の通常運転に戻る。
【００３７】
次に、図４を参照して回復動作について説明する。
＜回復動作＞
ステップ１（図中、「Ｓ１」と略記する。以下同様。）：通常運転を行って、ステップ２に進む。
【００３８】
ステップ２：回復動作を実行するか否かの判定を行う。
具体的には、実際に燃料電池１０の出力端子１４ａ，１４ｂから出力されている電流密度が、予め設定した電流密度の下限値より小さいか否かを判定し、その下限値よりも小さいと判定すればステップ３に進み、そうでなければステップ１に戻る。
【００３９】
ステップ３：燃料電池１０の回復動作を実行する。
具体的には、第一の断接器２０を開駆動することにより、上記燃料電池１０から外部負荷１５を遮断開放し、換言すると、燃料電池１０の出力端子１４ａ，１４ｂを開回路状態にして燃料極１０ａを還元する。
これにより、稼動不能に陥っている燃料電池１０を稼動可能となるように回復させることができる。
【００４０】
ステップ４：回復動作を終了するか否かを判定する。
例えばメモリ３２に回復のための遮断開放時間を設定しておき、その遮断開放時間が経過したか否かを判定する。ここで、当該時間が経過していなければステップ３に戻り、当該時間が経過していればステップ５に進む。
ステップ５：ステップ１の通常発電運転に戻る。
【００４１】
以上のステップの実行により、たとえ何らかの事情により燃料電池１０が劣化してしまったとしても、その回復を図ることができる。
【００４２】
次に、本発明の第二の実施形態に係る燃料電池システムについて、図５，６を参照して説明する。図５は、第二の実施形態に係る燃料電池システムの構成を示すブロック図、図６は、第二の実施形態に係る燃料電池システムの一部をなすコントローラユニットが有する機能を示すブロック図である。
なお、上述した実施形態において説明したものと同等のものについては、それらと同一の符号を付して説明を省略する。
【００４３】
第二の実施形態に係る燃料電池システムＡ２は、上述した燃料電池システムＡ１の構成に加えて、電源であるバッテリ４０、ＤＣ／ＤＣコンバータ４１、第二の断接器４２、インバータ４３及び第三の断接器４４を設けた構成のものである。
【００４４】
バッテリ４０は、燃料電池１０の燃料極１０ａを還元するための還元用の電力を送給し、また、インバータ４３を介して外部負荷１５に対して駆動用の電力を送給するためのものである。
【００４５】
ＤＣ／ＤＣコンバータ４１は、インバータ４３又は燃料電池１０向けに電圧変換を行うためのものである。
インバータ４３は、燃料電池１０から出力された直流電力を交流に変換し、また、バッテリ４０から送給された直流電力を交流に変換して外部負荷１５に給電するためのものである。
なお、図５には、外部負荷１５として交流モータ１５を接続したものを示している。
【００４６】
第二の断接器４２は、ＤＣ／ＤＣコンバータ４１と燃料電池１０との間に介設され、Ｃ／Ｕ３０の出力ポート側に接続されて断接動作するようになっている。
第三の断接器４４は、上記ＤＣ／ＤＣコンバータ４１とインバータ４３との間に介設されており、第二の断接器４２と同じくＣ／Ｕ３０の出力ポート側に接続されて断接動作するようになっている。
【００４７】
Ｃ／Ｕ３０は、メモリ３２に記憶されている本燃料電池システムＡ２に用いるプログラムの実行により、上記燃料電池システムＡ１の各手段を実現しているが、本実施形態においては、上記した機能の劣化予防手段に代えて、次の機能を発揮する劣化予防手段を設けている。
【００４８】
（７）劣化予防判定手段３１ａによって燃料電池１０が劣化すると判定したときには、上記第一の断接部２０を介して燃料電池１０から外部負荷１５を遮断開放時間だけ遮断開放させ、かつ、第二の断接器４２を介してバッテリ４０を燃料電池１０に接続させる機能。これを「劣化防止手段３１ｆ」という。
これにより、燃料極１０には還元電流が通電されて、劣化の始まりを未然に防止している。
【００４９】
また、第一の断接部２０を介して燃料電池１０から外部負荷１５を遮断開放時間だけ遮断開放させ、かつ、第二の断接器４２を介してバッテリ４０を燃料電池１０に接続させているので、還元に要する時間を短縮することができる。
【００５０】
上記した構成からなる第二の実施形態に係る燃料電池システムＡ２の動作については、ステップ３を除き、図３，４において説明したものと同様であるので、ここでは、それら図３，４を参照して、予防動作と回復動作におけるステップ３について説明する。
【００５１】
まず、図３を参照して予防動作について説明する。
＜予防動作＞
ステップ１において通常運転を行ってステップ２に進み、ステップ２において予防動作を実行するか否かの判定を行ってステップ３に進む。
【００５２】
ステップ３：燃料電池１０の予防動作を実行する。
本実施形態においては、上記第一の断接部２０を介して燃料電池１０から外部負荷１５を遮断開放時間だけ遮断開放するとともに、第２の断接器４２を介してバッテリ４０を燃料電池１０に接続する。
これにより、燃料電池１０の出力端子１４ａ，１４ｂが開回路状態になり、かつ、バッテリ４０からの還元電流が燃料極１０ａに送給されて、その燃料極１０ａをより迅速に還元することができる。
【００５３】
より具体的には、第一の断接器２０を開駆動、第二の断接器４２を閉駆動、及び第三の断接器４４を開駆動している。
このとき、ＤＣ／ＤＣコンバータ４１を制御して、燃料電池１０の出力端子１４ａ，１４ｂ間の電圧を増大させている。これにより、燃料極１０ａに還元電流が通電されるようになる。
そして、以後ステップ４以下に進んで同様の処理を行う。
【００５４】
次に、図４を参照して回復動作について説明する。
＜回復動作＞
ステップ１において通常発電運転を行ってステップ２に進み、ステップ２において予防動作を実行するか否かの判定を行ってステップ３に進む。
【００５５】
ステップ３：燃料電池１０の回復動作を実行する。
具体的には、上記第一の断接部２０を介して燃料電池１０から外部負荷１５を遮断開放時間だけ遮断開放するとともに、第二の断接器４２を介してバッテリ４０を燃料電池１０に接続する。これにより、燃料電池１０が開回路状態になって燃料極１０ａが還元されるとともに、バッテリ４０からも還元電流が送給されて燃料極１０ａの還元が促進される。
【００５６】
具体的には、第一の断接器２０を開駆動、第二の断接器４２を閉駆動、及び第三の断接器４４を開駆動する。
また、ＤＣ／ＤＣコンバータ４１を制御して、燃料電池１０の出力端子１４ａ，１４ｂ間の電圧を高める。これにより、燃料極１０ａに還元電流が通電されるようになる。
そして、以後ステップ４に以下に進んで同様の処理を行う。
【００５７】
次に、第三の実施形態に係る燃料電池システムについて、上記した図５，６を参照して説明する。
すなわち、第三の実施形態に係る燃料電池システムＡ３は、上述した第二の実施形態に係る燃料電池システムＡ２のハードウェア構成と同一のものであるが、Ｃ／Ｕ３０が有する機能が異なっている。
【００５８】
Ｃ／Ｕ３０は、メモリ３２に記憶されている本燃料電池システムＡ３に用いるプログラムの実行により、上記燃料電池システムＡ１の各手段を実現しているが、本実施形態においては、上記した機能を有する劣化予防手段に代えて、次の機能を発揮する劣化予防手段と劣化回復手段とを設けている。
【００５９】
（８）劣化予防判定手段３１ａによって燃料電池１０が劣化すると判定したときには、第一の断接器２０を介して燃料電池１０に外部負荷１５を接続し、かつ、第二の断接器４２を介してバッテリ４０を燃料電池１０に接続する機能。これを「劣化予防手段３１ｇ」という。
具体的には、第一の断接器２０を開駆動、第二の断接器４２を閉駆動、及び第三の断接器４４を閉駆動する。
第三の断接器４４を閉駆動することにより、バッテリ４０をインバータ４３を介してモータ１５に接続して、燃料電池１０の劣化を予防しつつ、そのモータ１５の回転駆動を継続することができる。
【００６０】
また、ＤＣ／ＤＣコンバータ４１を制御して、燃料電池１０の出力端子１４ａ，１４ｂ間の電圧を増大させる。これにより、燃料極１０ａに還元電流が通電される。
そして、以後ステップ４以下に進んで同様の処理を行う。
これにより、燃料極１０には還元電流が通電されて、劣化の始まりを未然に防止している。
【００６１】
（９）第一の断接器２０を介して燃料電池１０に外部負荷１５を接続し、かつ、第二の断接器を介してバッテリ１０を燃料電池４０に接続する機能。この機能を「劣化回復手段３１ｈ」という。
具体的には劣化予防手段３１ｇと、また、予防動作と回復動作についても燃料システムＡ２において説明したものと同様であるので、ここではそれらの説明を省略する。
【００６２】
次に、他例に係る燃料電池を採用した第四の実施形態に係る燃料電池システムについて、図７，８を参照して説明する。図７は、他例に係る燃料電池の構成を示すブロック図、図８は、第四の実施形態に係る燃料電池システムの一部をなすコントロールユニットが有する機能を示すブロック図である。
【００６３】
以下に説明する第四の実施形態に係る燃料電池システムＡ４は、燃料電池の構成を除き、第一の実施形態において説明したものと同等の構成になっているので、それらと同等のものに同一の符号を付して説明を省略し、本実施形態においては、主に他例に係る燃料電池について説明する。
【００６４】
他例に係る燃料電池１０Ａは、燃料ポンプ５０，５１，５２、燃料蒸発器５０、セルスタック５３、スタック加熱熱交換器５４、送給器である循環ブロワ５５、分岐バルブ５６、ミキサ５７、燃料改質器５８、改質器過熱熱交換器７０、燃焼器５９，６０、カソード空気加熱器６１、空気ブロワ６２〜６４，６９、遮断弁６５，６６、及び濃度センサ６７，６８等を有して構成されている。
【００６５】
燃料ポンプ５１は、本燃料電池１０Ａの発電に必要な燃料を燃料蒸発器５０に送給するものであり、この燃料ポンプ５１と燃料蒸発器５０との間には送給パイプ５１ａが連結されている。
また、燃料ポンプ５１は、Ｃ／Ｕ３０の出力ポート側に接続されて適宜駆動されるようになっている。
【００６６】
燃料蒸発器５０は、燃料ポンプ５１によって送給された燃料を蒸気化するものであり、この燃料蒸発器５０とミキサ５７との間には送給パイプ５０ａが接続されている。
ミキサ５７は、燃料蒸発器５０、分岐バルブ５６及び空気ブロワ６９から送給される、原燃料、排燃料ガス又は空気を選択的に切り替える機能を有するものであり、燃料改質器５８、空気ブロワ６９、分岐バルブ５６との各間にそれぞれ送給パイプ５７ａ，６９ａ，５６ａが連結されている。
【００６７】
燃料改質器５８は、蒸気化された原燃料を水素リッチな燃料ガスに改質するものであり、これと燃料電池１０との間に送給パイプ５８ａが接続されており、その燃料ガスを燃料極１０ａに送給するようにしている。
【００６８】
濃度センサ６７は、送給パイプ５８ａを流通する燃料ガスの一酸化炭素、また、濃度センサ６８は当該酸素の各濃度をそれぞれ測定するためのものである。
これらの濃度センサ６７，６８は、例えば燃料電池１０から外部負荷１５を遮断開放した後、燃料電池１０に外部負荷１５を再度接続するときの接続基準情報を取得するものである。
劣化予防手段と劣化回復手段は、接続基準情報に基づき、第一の断接器２０を介して燃料電池１０に外部負荷１５を接続することができる。
【００６９】
上記した燃料極１０ａと上記した分岐バルブ５６との間には送給パイプ５５ａが連結されており、その送給パイプ５５ａの途中に、燃料極１０ａから排出された排ガスを循環させるための循環ブロワ５５が配設されている。
上記した空気ブロワ６９、分岐バルブ５６、循環ブロワ５５及び遮断弁６６は、Ｃ／Ｕ３０の出力ポート側に接続されて適宜駆動されるようになっている。
【００７０】
空気ブロワ６２は、本燃料電池１０の発電に必要な空気をカソード空気加熱器６１に送給するものであり、この空気ブロワ６２とカソード空気加熱器６１との間には送給パイプ６２ａが連結されている。
また、空気ブロワ６２は、Ｃ／Ｕ３０の出力ポート側に接続されて適宜駆動されるようになっている。
【００７１】
カソード空気加熱器６１は、セルスタック５３に送給する空気を加熱するものであり、このカソード空気加熱器６１と燃料極１０ａとの間に送給パイプ６１ａが連結されている。
また、燃料極１０ａと上記した燃料蒸発器５０との間には送給パイプ５０ｂが連結されており、その燃料極１０ａから排出された空気を燃料蒸発器５０に送出して、空気ブロワ６２から送給される空気との熱交換を行えるようにしている。
【００７２】
燃焼器５９は、燃料ポンプ５２と空気ブロワ６３とにより送給された燃料と空気とを燃焼させるものであり、この燃焼器５９とスタック加熱熱交換器５４との間には送給パイプ５９ａが連結されている。
本実施形態においては、燃焼器５９がセル加熱器であるスタック加熱熱交換器５４の加熱源である。
【００７３】
スタック加熱熱交換器５４は、セルスタック５３に密接して配置されており、上記した燃焼器５９から送出された加熱ガスによってセルスタック５３を加熱するとともに、熱交換を行うためのものである。
【００７４】
また、スタック加熱熱交換器５４と上記したカソード空気加熱器６１との間には送給パイプ５４ａが連結されており、そのスタック加熱熱交換器５４から排出された加熱ガスをカソード空気加熱器６１に送給して、空気極１０ｂに送給される空気との熱交換を行えるようにしている。
【００７５】
燃焼器６０は、燃料ポンプ５３と空気ブロワ６４とにより送給された燃料と空気とを燃焼させるものであり、この燃焼器６０と上記した分岐バルブ５６との間には送給パイプ６０ａが連結されている。また、その送給パイプ６０ａの途中には遮断弁６５が配設されている。
燃料ポンプ５２，５３、空気ブロワ６３，６４及び遮断弁６５，６９も、Ｃ／Ｕ３０の出力ポート側に接続されて適宜駆動されるようになっている。
【００７６】
改質器加熱熱交換器７０は、燃料改質器５８に密接して配置されており、燃焼器６０との間に送給パイプ６０ｂが接続されており、燃料極１０ａから排出されて燃焼器６０によって加熱された排出ガスと、燃料改質器５８により改質された燃料ガスとの間においては熱交換を行うようにしたものである。
【００７７】
また、改質器加熱熱交換器７０と送給パイプ６１ａとの間に送給パイプ７０ａが連結されており、改質器加熱熱交換器７０から排出された排ガスをカソード空気加熱器６１に送給するようにしている。これにより、カソード空気加熱器６１における熱交換をさらに効率的に行えるようにしている。
本実施形態においては、燃焼器６０が燃料改質器である改質器加熱熱交換器７０の加熱源である。
【００７８】
Ｃ／Ｕ３０は、メモリ３０に記憶されている本燃料電池システムＡ３に用いるプログラムの実行により、上記燃料電池システムＡ１の各手段を実現しているとともに、次の機能を有している。
【００７９】
（９）劣化予防手段３１ｂにより燃料電池１０の劣化を予防しているときに、燃焼器５９によってスタック加熱熱交換器５４を加熱させる機能。この機能を「セル加熱手段３１ｉ」という。
具体的には、第一の断接器２０を介して燃料電池１０から外部負荷１５を遮断開放しているときに、燃焼器５９によってスタック加熱熱交換器５４を加熱させている。
【００８０】
これにより、第一の断接器２０を介して燃料電池１０から外部負荷１５を遮断開放しているときにおけるセルスタック５３の温度低下を防止して稼動温度帯域に留めておけるので、燃料電池１０の再始動性を高めることができる。
【００８１】
（１０）劣化予防手段３１ｂにより燃料電池１０の劣化を予防しているときに、燃焼器６０によって改質器加熱熱交換器７０を加熱させる機能。この機能を「改質器加熱手段３１ｊ」という。
これにより、第一の断接器２０を介して燃料電池１０から外部負荷１５を遮断開放しているときにおける燃料改質器５８の温度低下を防止することができ、燃料電池１０の再始動性を高めることができる。
【００８２】
上述した第四の実施形態に係る燃料電池システムＡ４の動作について説明する。
燃料電池１０の発電に必要な燃料と空気は、それぞれ燃料ポンプ５１、空気ブロワ６２から導入される。
＜燃料極側流路の概要＞
燃料ポンプ５１から導入された燃料は、燃料蒸発器５０で蒸気化される。
燃料蒸発器５０は、送球パイプ５０ｂを通じて燃料極１０ａから排出された排ガスと燃料との熱交換を行って、蒸気化した原燃料を昇温する。
【００８３】
燃料蒸発器５０から送出された蒸気化した原燃料は、ミキサ５７で空気、燃料極循環ガスと混合され、燃料改質器５８に導入される。
このとき、燃料極ガスは、発電により生成された水蒸気と二酸化炭素を含んでいる。これら水蒸気、二酸化炭素及び空気ブロワ６９から導入される空気に含まれる酸素は、燃料改質器５８及び燃料極１０ａを含む循環経路内での炭素析出を抑制するために必要である。
【００８４】
燃料改質器５８内では、導入された原燃料と酸素による部分酸化反応（発熱反応）、燃料と水蒸気による水蒸気改質反応（吸熱反応）、及びそれらの反応により生成した一酸化炭素と水蒸気によるシフト反応（発熱反応）等が進行する。
そして、燃料改質器５８から送出された改質ガスが燃料極１０ａに導入される。
【００８５】
燃料極１０ａに導入された燃料に含まれる水素及び一酸化炭素は、空気極１０ｂから電解質膜１０ｃを介して供給される酸素イオンと電気化学反応を起こし、それぞれ水、二酸化炭素を生成する。このとき同時に、電子が電極（外部回路側）に供給される。
【００８６】
そして、燃料極１０ａを介して排出される排出ガスは循環ブロワ５５で昇圧され、これの一部が上記循環経路を循環する。
このときの循環率は、燃料改質器５８等での炭素析出抑制に必要な水蒸気及び二酸化炭素量を基に決定される。
【００８７】
余剰の排気ガスは、分岐バルブ５６から燃焼器６０に導入される。
燃焼器６０は、燃料極１０ａからの排気ガス中の一酸化炭素、水素を、新たに導入する空気と混合して燃焼させ、高温の加熱ガスを生成する。
この加熱ガスは、改質器加熱熱交換器７０に導入され、燃料改質器５８及び改質ガスの加熱に利用される。
【００８８】
このとき、燃料改質器５８の温度は、改質反応に必要な所定の温度に維持する必要がある。
すなわち、燃料改質器５８の温度は、改質器加熱熱交換器７０から導入される熱量、燃料改質器５８で進行する吸熱反応熱量、発熱反応熱量及び入口ガスが持つエンタルピーと熱容量から決まる。
【００８９】
吸熱反応量が多く、燃料改質器５８の温度が所定の温度に達しない場合、燃料ポンプ５３を介して追加燃料を燃焼器６０に導入し、加熱ガスのエンタルピーを増やす。これにより、改質器加熱熱交換器７０から導入される熱量が増加し、燃料改質器５８の温度を所定の温度に維持することができる。
【００９０】
改質器加熱熱交換器７０から排出された加熱ガスは、スタック加熱排気ガスと混合されて、カソード空気加熱器６１に導入される。カソード空気加熱器６１は上記混合ガスから空気極１０ｂに送出される空気に熱を伝え、当該空気を昇温する。
【００９１】
＜空気極側流路の概要＞
空気ブロワ６２から導入された空気は、前記カソード空気加熱器６１により昇温されて、燃料電池１０の空気極１０ｂに導入される。空気極１０ｂに導入された空気中に含まれる酸素は、空気極１０ｂで電子と反応し、酸素イオンを生成する。電子は、空気極１０ｂから外部負荷回路を介して供給される。
【００９２】
空気極１０ｂで生成した酸素イオンは、電解質１０ｃを介して燃料極１０ａへ伝導する。このとき、セルスタック（燃料極１０ａ及び空気極１０ｂ）５３の温度は、燃料電池反応（アノード反応/カソード反応）に必要な所定の温度に維持する必要がある。燃料極１０ａ及び空気極１０ｂの温度は、それぞれの電極上で進行する反応熱量（電力として取り出されなかった排熱量）、導入される燃料／空気ガスが持つエンタルピー、及びその熱容量から決まる。
このとき、例えば燃料電池１０の反応効率が高く、セルスタック５３の温度が所定の温度に達しない場合、燃料ポンプ５２、空気ブロワ６３を介して追加燃料と空気を燃焼器５９に導入して高温ガスを生成させ、この高温ガスをスタック加熱熱交換器５４へ導入する。
【００９３】
スタック加熱熱交換器５４から導入される熱は、セルスタック５３内の固体熱伝導の効果により、燃料極/空気極の両極を加熱することができる。これにより、セルスタック５３へ熱を供給し、セルスタック５３を所定の温度に維持することができる。
【００９４】
スタック加熱熱交換器５４から排出された加熱ガスは、燃料改質器５８から排出された排気ガスと混合されて、カソード空気加熱器６１に導入される。カソード空気加熱器６１は上記混合ガスからカソード空気に熱を伝え、空気極１０ｂに送出する空気を昇温する。
【００９５】
次に、本燃料電池システムＡ４による発電を終了するときの動作について、図９を参照して説明する。図９は、本燃料電池システムＡ４による発電を終了するときの動作を示すフローチャートである。
【００９６】
ステップ１（図中「Ｓ１」と略記する。以下同様。）：システム終了指令により、ステップ２に進む。
ステップ２：燃料電池１０の予防動作を実行してステップ３に進む。
具体的には、断接器５０を開駆動する。図７に示す遮断弁６５，６６を閉駆動して、燃料流路を閉鎖する。同時に循環ブロワ５５を作動させ、還元ガスを燃料極１０ａに循環させる。これにより燃料極１０ａが還元される。
【００９７】
ステップ３：予防動作の終了を判定する。例えば、メモリ３２に記憶されている遮断開放時間を参照して、当該時間が経過しているか否かを判定することによる。ここで、遮断開放時間を超えていればステップ４に進み、そうでなければステップ２に戻る。
ステップ４：通常の停止制御を行う。
【００９８】
次に、燃料電池の他例について、図１０を参照して説明する。図１０（Ａ）は、二つの燃料スタックを並列した構成を示すブロック図、同図（Ｂ）は、二つの燃料スタックを直列した構成を示すブロック図である。
【００９９】
第一の他例に係る燃料電池１０Ｂは、二つのセルスタック８０，８１を択一的に切り替えるリレーボックス８２を介して並列接続したものであり、また、その燃料電池１０Ｂを燃料電池システムＡ２，３に用いた構成を想定している。
【０１００】
この構成にした場合、劣化予防判定手段３１ａは、メモリ３２に記憶されている劣化予防判定基準情報に基づいて、いずれかの燃料電池８０，８１が劣化し始めるか否かを判定し、劣化予防手段３１ｂは、劣化予防判定手段３１ａによって判定した燃料電池８０（８１）の劣化を予防する。
【０１０１】
具体的には、劣化を予防しようとする燃料電池８０（８１）を断接器４２を介してバッテリ４０に接続する。これにより、当該燃料電池８０（８１）の燃料極１０ａに還元電流が通電されて予防が行われる。
なお、全ての燃料電池が劣化すると判定したときには、その全ての燃料電池をバッテリ４０に接続する。
【０１０２】
また、劣化回復判定手段３１ｄは、メモリ３２に記憶されている回復判定基準情報に基づいて、いずれかの燃料電池が既に劣化しているか否かを判定し、劣化回復手段３１ｅは、劣化回復判定手段３１ｄによって既に劣化していると判定した燃料電池８０（８１）の劣化を回復させるようにする。
【０１０３】
第二の他例に係る燃料電池１０Ｃは、二つのセルスタック８４，８５を切替スイッチ８６を介して直列にして接続したものであり、この燃料電池１０Ｃを燃料電池システムＡ２，３に用いた構成を想定している。
【０１０４】
この構成の場合、劣化予防判定手段３１ｄは、メモリ３２に記憶されている劣化判定基準情報に基づいて、いずれかのセルスタック８４，８５が劣化し始めるか否かを判定し、劣化予防手段３１ｂは、劣化予防判定手段３１ａによって判定した燃料電池８４（８５）の劣化を予防する。
【０１０５】
具体的には、例えば燃料電池スタック８５の劣化を予防する場合には、切替えスイッチ６８６によってセルスタック８４を切り離す。また、セルスタック８４の劣化を予防する場合には、切替えスイッチ８６によってセルスタック８５を切り離すようにしている。
これにより、当該セルスタック８４（８５）の燃料極（図示しない）に還元電流が通電されて予防が行われる。
【０１０６】
また、劣化回復判定手段３１ｄは、メモリ３２に記憶されている回復判定基準情報に基づいて、いずれかのセルスタック８４（８５）が既に劣化しているか否かを判定し、劣化回復手段３１は、劣化回復手段３１ｅによって既に劣化していると判定したセルスタック８４（８５）の劣化を回復させるようにする。
なお、本例においては、セルスタックを二つ設けた構成のものについて説明したが、二つに限る趣旨ではなく、三つ以上であっても適用できることは勿論である。
【０１０７】
なお、本発明は上述した実施形態に限るものではなく、次のような変形実施が可能である。
・以上詳細に説明したが、いずれにしても、上記各実施形態において説明した各構成は、それら各実施形態にのみ適用することに限らず、一の実施形態において説明した構成を、他の実施形態に準用若しくは適用し、さらには、それを任意に組み合わせることができるものである。
【０１０８】
・上述した実施形態においては、セル加熱器の加熱源と、改質器加熱器の加熱源とを別体にした構成したものを例示したが、それらを同一の加熱源にするとともに、セル加熱器と改質器加熱器とに加熱ガスを分流する分流路を配設した構成してもよい。
また、加熱ガスに限るものではなく、セル加熱器、改質器加熱器ともに電気ヒータにし、加熱源としてバッテリを採用してもよい。
【図面の簡単な説明】
【０１０９】
【図１】本発明の第一の実施形態に係る燃料電池システムの構成を示すブロック図である。
【図２】同上の燃料電池システムの一部をなすコントロールユニットの機能を示すブロック図である。
【図３】同上の燃料電池システムにおける予防動作を示すフローチャートである。
【図４】同上の燃料電池システムにおける回復動作を示すフローチャートである。
【図５】本発明の第二の実施形態に係る燃料電池システムの構成を示すブロック図である。
【図６】同上の燃料電池システムのコントローラユニットが有する機能を示すブロック図である。
【図７】他例に係る燃料電池の構成を示すブロック図である。
【図８】第四の実施形態に係る燃料電池システムの一部をなすコントロールユニットが有する機能を示すブロック図である。
【図９】同上の燃料電池システムによる発電を終了するときの動作を示すフローチャートである。
【図１０】（Ａ）は、二つの燃料スタックを並列した構成を示すブロック図、同図（Ｂ）は、二つの燃料スタックを直列した構成を示すブロック図である。
【符号の説明】
【０１１０】
１０                      固体酸化物型燃料電池
１０ｃ                    電解質膜
１０ａ                    燃料極
１０ｂ                    空気極
１１                      セル
１５                      外部負荷
２０                      第一の断接器
２３〜２５                出力測定器（電圧計、電流計、内部抵抗器）
３１ａ                    劣化予防判定手段
３１ｂ，３１ｆ，３１ｇ    劣化予防手段
３１ｃ                    劣化回復判定手段
３１ｄ，３１ｅ，３１ｈ    劣化回復手段
３１ｉ                    セル加熱手段
３１ｊ                    改質器加熱手段
３２                      メモリ
４２                      第二の断接器
４０                      電源
５９，６０                加熱源
７０                      改質器加熱器（改質器加熱熱交換器）
８０，８１，８４，８５    セルスタック
８４                      セル加熱器（スタック過熱熱交換器）
Ａ１〜Ａ４                燃料電池システム
【図１】
2010146747.tif 000003
【図２】
2010146747.tif 000004
【図３】
2010146747.tif 000005
【図４】
2010146747.tif 000006
【図５】
2010146747.tif 000007
【図６】
2010146747.tif 000008
【図７】
2010146747.tif 000009
【図８】
2010146747.tif 000010
【図９】
2010146747.tif 000011
【図１０】
2010146747.tif 000012